(57)【要約】      （修正有）【課題】拡大倍率が可変で、照明警告表示もできる、照明光源を備える多機能拡大鏡ランプを提供する。【解決手段】多機能拡大鏡ランプはランプ本体２１、蛇腹管２２、ランプヘッド２４及び灯源等の構成部材により組成し、該ランプのランプヘッドの適当な位置には第一レンズ３１を装置し、こうして照明、警告表示及び多倍率拡大鏡機能を兼ね備える多用型ランプを組成する。主に、第一レンズを備えた第一拡大鏡片側の適当な位置には槽台を形成し、可動結合ユニット一端を利用し第二レンズ５２を備えた第二拡大鏡を可動結合する。該可動結合ユニットの反対端は嵌合構造により該槽台と可動式の結合を行い、これにより該第二拡大鏡は該拡大鏡ランプと迅速かつ簡便に結合或いは分解できるように構成する。【選択図】図２
0003147909.tif 000002
【実用新案登録請求の範囲】
【請求項１】
多機能拡大鏡ランプであって、
少なくともランプを含み、
該ランプ一端にはランプヘッドを可動状態で組み合わせ、該ランプヘッド内には灯源を設置し、隣接する適当な位置には第一拡大鏡を可動状態で組み合わせ、該第一拡大鏡はこれにより該第一拡大鏡を可動状態で組み合わせることができ、及び第一レンズにより組成し、
該これにより該第一拡大鏡を可動状態で組み合わせることができ、片側の適当な位置には槽台を形成し、これにより可動結合ユニット一端は可動式の結合を行い、該可動結合ユニット反対端は第二拡大鏡を可動結合し、
該第二拡大鏡は対応する該ランプ或いは第一拡大鏡の機能の使用を補助し、或いはその具備する機能を単独で使用することができ、これにより拡大鏡ランプの倍率拡大の機能を増進し、さらには該第二拡大鏡は迅速簡便に拡大鏡ランプと結合、分解の作業を行うことができることを特徴とする、
多機能拡大鏡ランプ。
【請求項２】
前記ランプはランプ本体一端により蛇腹管を利用しランプヘッドサポートフレームを結合し、さらに該ランプヘッドサポートフレームを利用し該ランプヘッドに可動結合し、こうして該ランプヘッドは角度回転を行うことができ、該灯源は該ランプヘッド内に設置し、
該ランプヘッドサポートフレームの相対する二外側面の適当な位置には固定孔を設置し、これにより該第一拡大鏡を可動状態で組み合わせることができ、しかも該第一レンズフレームは二枚の片体が対合し組成し、その一端には該ランプヘッド外側に可動状態で組合わせる二個の可動接続部を突出し、反対端には該第一レンズを固設するレンズ枠を形成し、該槽台は該レンズ枠外側辺縁の適当な位置に突出形成し、これにより該可動結合ユニットを嵌設結合し、こうして該第二拡大鏡を結合することを特徴とする請求項１記載の、多機能拡大鏡ランプ。
【請求項３】
前記槽台両側には導辺を形成し、該可動結合ユニットはスライド台、ボルト及びナットにより組成し、該スライド台底辺には該槽台の導辺内にちょうど嵌設される階段部を形成し、上縁には軸柱を突出設置し、しかも該軸柱内縁には貫通した柱孔を形成し、該柱孔下方には比較的大径の六角孔を形成し、
該第二拡大鏡と該可動結合ユニット結合の一端には中空の軸カバーを形成し、該軸カバーは該軸柱外縁を覆い被さり、該ボルト一端は該柱孔を穿設後、該六角孔位置において該ナットと螺合固定し、これにより該第二拡大鏡は該軸柱を円心とし回転移動を行い、該可動結合ユニットが該第二拡大鏡を可動状態で組合わせる構造を形成することを特徴とする、請求項２記載の多機能拡大鏡ランプ。
【請求項４】
前記灯源は若干のLED電球により組成し、該ランプヘッドは該各LED電球の内縁を設置し、これにより主灯区及び副灯区に分けられ、該主灯区内に設置するLED電球は照明用の灯光を発することができ、該副灯区内に設置するLED電球は、照明用輝度の灯光を自由に調節可能である他、制御を受け点滅する警告表示灯光を発することができ、該ランプは特殊状況において、警告表示灯として使用可能であることを特徴とする、請求項１或いは２記載の多機能拡大鏡ランプ。
【請求項５】
前記槽台両側には導辺を形成し、該可動結合ユニットはスライド台、ボルト及びナットにより組成し、該スライド台底辺には該槽台の導辺内にちょうど嵌設される階段部を形成し、上縁には軸柱を突出設置し、しかも該軸柱内縁には貫通した柱孔を形成し、該柱孔下方には比較的大径の六角孔を形成し、
該第二拡大鏡は第二レンズフレーム及び第二レンズにより組成し、該第二レンズフレーム一端には該軸柱外縁にちょうど被さる中空軸カバーを設置し、反対端には該第二レンズを固設するレンズ枠を形成し、
こうして組み立て時には、該第二レンズフレームの軸カバーを利用し、該スライド台の軸柱外縁に被せ、該ボルト一端は該柱孔を穿設後、該六角孔位置において該ナットと螺合固定し、これにより該第二拡大鏡は該軸柱を円心とし回転移動を行い、該可動結合ユニットが該第二拡大鏡を可動状態で組合わせる構造を形成することを特徴とする、請求項１記載の多機能拡大鏡ランプ。
【請求項６】
前記第二レンズフレームの該軸カバーと該レンズ枠間の中段の適当な位置には、別に可動接続孔を形成し、第三拡大鏡を可動状態で組み合わせ、該第三拡大鏡は第三レンズフレーム及び第三レンズにより組成し、該第三レンズフレーム一端にはピボットを突出設置し、反対端には該第三レンズを固設するレンズ枠を形成し、ネジを利用し、下から上へと該可動接続孔を穿設後、さらに該ピボット位置に螺合し、該第三拡大鏡は該可動接続孔を中心とし回転を行うことができることを特徴とする、請求項５記載の多機能拡大鏡ランプ。
【請求項７】
前記スライド台の軸柱下方外周面の適当な位置には、ガード辺を突出設置し、該軸カバー内縁下方壁面の適当な位置にも該ガード辺構造に類似したガード部を突出設置し、こうして該軸カバーが該軸柱上に被さる時には、該ガード部及び該ガード辺の制限接触を利用し、該第二拡大鏡の回転角度を制限することができることを特徴とする、請求項５記載の多機能拡大鏡ランプ。
【請求項８】
前記槽台の適当な位置には別に収容設置槽孔を形成し、これにより弾性体及び金属ボールを収容設置し、該金属ボール一端は該弾性体の弾力押し上げを受けて該収容設置孔槽において突出し、該可動結合ユニットは該槽台内に可動嵌設される構成部材底面の相対する適当な位置に、定位孔縁を陥没設置し、こうして該可動結合ユニットが該槽台位置に嵌設結合する時には、その結合の堅固性を増進可能であることを特徴とする、請求項１或いは２或いは５記載の多機能拡大鏡ランプ。
【請求項９】
前記ランプが相対する底部の内縁の適当な位置には別に若干の磁性部品を設置し、これにより該ランプは自動車屋根上或いは旋盤、パンチプレス機等金属材質上に吸着させ使用可能であることを特徴とする、請求項１記載の多機能拡大鏡ランプ。
【考案の詳細な説明】
【技術分野】
【０００１】
本考案は拡大鏡に関し、特に照明光源を備える多機能拡大鏡ランプに関するものである。
【背景技術】
【０００２】
人は誰しも老年に入ると、視力が弱くなり、読書時に拡大鏡の補助が必要となる。
或いは仕事又は学習の必要により、拡大鏡を用い特定の物件を見る。
しかし、一般的な手持ち式拡大鏡は片手でそれを持つ必要がある。さらに拡大倍率が有限で、しかも灯光の補助がない。
そのため、既に電気スタンド上に拡大鏡を設置する製品が見られる。
この種の拡大鏡ランプは、使用者は手で持つ必要がなく、しかも電気スタンド光源の照射を利用し、よりはっきりと拡大し物件を見ることができる。
【０００３】
図１に、公告第590196号「電気スタンド上の拡大鏡のレンズ蓋構造」特許案（以下、公知案と略称）を示す。
該公知案が掲示する電気スタンド１は、ランプ台１０上においてランプフレーム１１を利用し、ランプシェード１２を可動接続する。
該ランプシェード１２上には別に拡大鏡２、別の光不透過のレンズ蓋３を設置し、該ランプシェード１２内には発光可能な電球（図示なし）を設置し、磁性吸着方式を利用し、該レンズ蓋３を該ランプシェード１２上に定位する。
【０００４】
しかし、上記した公知案の拡大鏡ランプ製品の拡大倍率は単一規格であるため、もし使用者がより大きい拡大倍率を必要とする時には、不足であるという欠点がある。
さらに、この種のランプの拡大鏡は体積が大きく、よって使用が不便な場所もある。
また該拡大鏡はランプから取り外し単独で使用することができないため、機能性不足となっている。
加えて、この種の拡大鏡ランプは照明を発することができだけで、屋外で特殊な場合に警告表示灯光が必要な場合にも、この種のランプはその機能を提供することはできない。
本考案は、従来の多機能拡大鏡ランプの上記した欠点に鑑みてなされたものである。
【考案の開示】
【考案が解決しようとする課題】
【０００５】
本考案が解決しようとする第一の課題は、拡大鏡ランプを可動結合方式により、倍率拡大機能を備える第二拡大鏡に可動状態で組み合わせ、これにより倍率拡大の調整が可能で、こうして該第二拡大鏡の使用において、分解或いは組合せ使用手順が迅速かつ簡便となる多機能拡大鏡ランプを提供することであり、
本考案が解決しようとする第二の課題は、その拡大鏡ランプは照明警告表示の点滅灯光を発することができ、警告表示ランプとして使用することができる多機能拡大鏡ランプを提供することである。
【課題を解決するための手段】
【０００６】
上記課題を解決するため、本考案は下記の多機能拡大鏡ランプを提供する。
多機能拡大鏡ランプはランプ、第一拡大鏡、可動結合ユニット及び第二拡大鏡等構成部材により組成し、
該ランプはランプ本体一端により蛇腹管を利用しランプヘッドサポートフレームを結合し、さらに該ランプヘッドサポートフレームを利用し該ランプヘッドに可動結合し、こうして該ランプヘッドは角度回転を行うことができ、該ランプヘッド内には灯源を設置し、該灯源は若干のLED電球により組成し、しかも該ランプヘッドは該各LED電球内縁位置に設置し、主灯区及び副灯区に分けられ、該主灯区内に設置するLED電球は集光レンズを通して、照明輝度を４０％以上増加させることができ、照明として用いられ、該副灯区内に設置するLED電球は、照明作用を備える他に、点滅制御の警告表示灯光を発することができ、こうして本考案はランプ警告表示灯として使用可能であり、
該ランプヘッドサポートフレームの相対する二外側面の適当な位置には固定孔を設置し、これにより該第一拡大鏡を可動状態で組み合わせることができ、該第一拡大鏡は第一レンズフレーム及び第一レンズにより組成し、該第一レンズフレームは二枚の片体が対合し構成し、その一端には該ランプヘッド外側に可動状態で組合わせる二個の可動接続部を突出し、反対端には該第一レンズを固設するレンズ枠を形成し、該槽台は該レンズ枠外側辺縁の適当な位置に突出形成し、両側導辺を形成し、これにより該可動結合ユニットを嵌設結合し、こうして該第二拡大鏡を結合し、該可動結合ユニットはスライド台、ボルト及びナットにより組成し、該スライド台底辺には該槽台の導辺内にちょうど嵌設される階段部を形成し、上縁には軸柱を突出設置し、しかも該軸柱内縁には貫通した柱孔を形成し、該柱孔下方には比較的大径の六角孔を形成し、該第二拡大鏡は第二レンズフレーム及び第二レンズにより組成し、該第二レンズフレーム一端には該軸柱外縁にちょうど被さる中空軸カバーを設置し、反対端には該第二レンズを固設するフレームを形成し、こうして組み立て時には、該第二レンズフレームの軸カバーを利用し、該スライド台の軸柱外縁に被せ、該ボルト一端は該柱孔を穿設後、該六角孔位置において該ナットと螺合固定し、これにより該第二拡大鏡は該軸柱を円心とし回転移動を行い、該可動結合ユニットが該第二拡大鏡を可動状態で組合わせる構造を形成し、該第二レンズフレームは該軸カバーと該レンズ枠間の中段の適当な位置に可動接続孔を形成し、第三拡大鏡を可動状態で組み合わせ、該第三拡大鏡は第三レンズフレーム及び第三レンズにより組成し、該第三レンズフレーム一端にはピボットを突出設置し、反対端には該第三レンズを固設するレンズ枠を形成し、ネジを利用し、下から上へと該可動接続孔を穿設後、該ピボット位置に螺合し、これにより該第三拡大鏡は該可動接続孔を中心とし回転を行うことができ、
該拡大鏡ランプ上に設有する可動結合ユニットと槽台が呈する可動式の組合せ構造を利用し、迅速簡便に第二拡大鏡と分解使用することができ、同時に、該第二及び第三拡大鏡を該第一拡大鏡に対応させ使用することで、多種倍率の拡大機能を選択可能で、或いは各拡大鏡の拡大機能を単独で使用可能で、こうして拡大鏡ランプの使用機能と効果を増進することができ、警告表示灯光の設置により、本考案ランプは必要時には、警告表示灯として使用することができ、その多元性機能をより完璧にする。
【考案の効果】
【０００７】
本考案は拡大鏡ランプ上に設有する可動結合ユニットと槽台が呈する可動式の組合せ構造を利用し、迅速簡便に第二拡大鏡と分解使用することができる。同時に、第二及び第三拡大鏡を第一拡大鏡に対応させ使用することで、多種倍率の拡大機能を選択可能で、或いは各拡大鏡の拡大機能を単独で使用可能で、こうして拡大鏡ランプの使用機能と効果を増進することができる。警告表示灯光の設置により、本考案ランプは必要時には、警告表示灯として使用することができ、その多元性機能をより完璧にすることができる。
【考案を実施するための最良の形態】
【０００８】
以下に図面を参照しながら本考案を実施するための最良の形態について詳細に説明する。
図２〜８に示すように、本考案多機能拡大鏡ランプはランプ本体２１、蛇腹管２２、ランプヘッドサポートフレーム２３、ランプヘッド２４、灯源２５等構成部材により組成するランプ４、及び第一拡大鏡５、可動結合ユニット６、第二拡大鏡７、第三拡大鏡等構成部材により組成する。
【０００９】
該ランプ本体２１は一般の照明器具構造で、内部には電池電源を設置することができ、市内電源のAC及び自動車12Vに接続する電源コンセントを設置する。
その上には第一、第二スイッチ２１１、２１２を設置し、これにより灯源２５を制御し、照明或いは警告表示の灯光の変換を行う。
その内縁の底部の適当な位置には、さらに若干の磁性部品９１を設置し、該ランプ４は金属材質上に吸着し使用する。
該蛇腹管２２一端は該ランプ本体２１前端に固設し、反対端は該ランプヘッドサポートフレーム２３と固接する。
さらに該ランプヘッドサポートフレーム２３両側を利用し、該ランプヘッド２４に可動結合し、こうして該ランプヘッド２４は角度回転を行うことができる。
【００１０】
該ランプヘッドサポートフレーム２３相対する二外側面の適当な位置には、固定孔２３１を設置し、これにより該第一拡大鏡５を可動設置する。
該灯源２５は若干のLED電球により組成し、しかも該ランプヘッド２４は該各LED電球の内縁を設置し、これにより主灯区２４１及び副灯区２４２に分けられる。
該主灯区２４１内に設置するLED電球は、集光照明用の灯光を発することができる。
該副灯区２４２内に設置するLED電球は、照明の灯光として用いられる他に、該第二スイッチ２１２の制御を受け、点滅の警告表示灯光を発することができ、こうして該ランプ４は警告表示灯として使用することができる。
【００１１】
該第一拡大鏡５は第一レンズフレーム３０及び第一レンズ３１により組成する。
該第一レンズフレーム３０は二枚の片体が対合し組成し、その一端には相対する二個の可動接続部３２を突出設置する。
二個の螺合部品９２を利用しそれぞれ該二個の動接続部３２に穿設後、該ランプヘッドサポートフレーム２３の固定孔２３１位置に螺合する。
こうして該第一拡大鏡５とランプ４は可動状態で組み合わせ、結合される。
反対端には該第一レンズ３１を固設するレンズ枠３３を形成し、該レンズ枠３３上方の片体辺縁の適当な位置にはフック槽３３１を形成し、これによりレンズ蓋３６を可動係合する。
外側の適当な位置には槽台３４を突出設置する。
【００１２】
該槽台３４の両側には導辺３４１を形成し、しかも適当な位置の内部には収容設置槽孔３５を形成し、これにより弾性体９３及び金属ボール９４を収容設置後、下方の片体により蓋合時に固定される。
こうして該金属ボール９４一端は該弾性体９３の弾力を受け押し上げられ、該収容設置孔槽３５において突出し、こうして該可動結合ユニット６一端は可動式の嵌設結合を行うことができる。
該可動結合ユニット６はスライド台４０、ボルト４１及びナット４２により組成される。
【００１３】
該スライド台４０底辺には該槽台３４の導辺３４１内にちょうど嵌設される階段部４３を形成し、これによりその定位をより堅固とする。
上縁には軸柱４４を突出設置し、しかも該軸柱４４内縁には貫通した柱孔４５を形成し、該柱孔４５下方には比較的大径の六角孔４６を形成する。
該ボルト４１一端は該柱孔４５に穿設後、該六角孔４６位置において該ナット４２と螺合固定し、こうして該第二拡大鏡７を可動固定する。
該スライド台４０底部の該槽台３４に対応し金属ボール９４を設置する適当な位置には、定位孔縁４７を陥没設置し、これにより該可動結合ユニット６が該槽台３４位置に嵌設結合される時、該金属ボール９４を利用し、該定位孔縁４７位置に弾性制止し、その結合の堅固性を増進する。
【００１４】
該第二拡大鏡５０は該ランプ４或いは該第一拡大鏡５使用の機能を補助強化し、或いはこれにより使用者は該第二拡大鏡５０を単独で使用することができる。それは第二レンズフレーム５１及び第二レンズ５２により組成する。
該第二レンズフレーム５１一端には該軸柱４４外縁にちょうど被さる中空軸カバー５１１を設置し、反対端には該第二レンズ５２を固設するレンズ枠５１２を形成する。該軸カバー５１１と該レンズ枠５１２間の中段の適当な位置には、可動接続孔５１３を形成し、該第三拡大鏡を可動組合わせる。
【００１５】
該第二拡大鏡５０と該可動結合ユニット６の結合時には、該軸カバー５１１を利用し、該スライド台４０の軸柱４４外縁に被せた後、該ボルト４１一端は該柱孔４５に穿設される。
こうして該六角孔４６位置において該ナット４２と螺合固定し、キャップ９６を用い該軸カバー５１１上端に蓋合し、該ボルト４１を封鎖固定する。これにより該第二拡大鏡５０は該軸柱４４を円心とし回転移動する。
【００１６】
該軸カバー５１１内縁下方壁面の適当な位置にはガード部５１４を突出設置し、該スライド台４０の軸柱４４下方外周面の適当な位置には該ガード部構造に類似したガード辺４４１を突出設置する。
こうして該軸カバー５１１が該軸柱４４外縁を覆い結合する時、該ガード部５１４及びガード辺４４１の制限接触を利用し、該第二拡大鏡５０の回転角度を制限することができる。
【００１７】
該第三拡大鏡６０は第三レンズフレーム６１及び第三レンズ６２により組成する。
該第三レンズフレーム６１一端にはピボット６１１を突出設置し、反対端には該第三レンズ６２を固設するレンズ枠６１２を形成する。ネジ９５を利用し、下から上へと該第二拡大鏡５０の可動接続孔５１３を穿設後、該第三拡大鏡６０のピボット６１１位置に螺合する。
こうして該第三拡大鏡６０は該可動接続孔５１３を中心とし回転を行うことができる。
【００１８】
上記した構成部材により組成し、該第一拡大鏡５上に設置する可動結合ユニット６と槽台３４の可動式を呈する組合せ構造を利用し、迅速簡便に、該第二拡大鏡５０と組合せ、分解使用することができる。
同時に、該第二拡大鏡５０及び第三拡大鏡６０により該第一拡大鏡５に対応し、多種の倍率の拡大組式の調整使用が可能である。
さらに、該第二及び第三拡大鏡５０、６０の拡大機能を単独で使用することができ、こうして拡大鏡ランプは多種倍率変換の使用機能と効果を達成することができる。
【００１９】
図８、９、１０に示すように、本考案は該第一拡大鏡５の拡大機能を備える他に、該第二及び第三拡大鏡５０、６０もまた同時、或いはそれぞれに、該第一拡大鏡５と対応使用可能で、或いは該第二及び第三拡大鏡５０、６０の拡大機能を単独で使用することができる。
該第二及び第三拡大鏡５０、６０を単独で使用する時には、拡大鏡ランプ上で直接使用することができ、或いは該第一拡大鏡５を離脱し使用することもできる。
また本考案は、該灯源２５の警告表示灯光を発射可能な設計を利用し、該ランプ４を必要時には、警告表示灯として使用することができる。
例えば、キャンプ、或いは夜間に自動車事故が発生した時には、自動車屋根上に置き、或いはランプ４を手に持ち振り、他人の注意を引く警告表示器具とし、こうしてその多様な機能をより完璧にすることができる。
【００２０】
上記したように、本考案は同類製品中において極めて高い進歩実用性を備え、同時に内外のこの類構造の技術資料、文献を調査したところ、相同構造の存在は発見されなかった。よって本考案は実用新案登録請求の要件を備えている。
【００２１】
本考案は具体的実施例を上記の通り開示したが、これらは最適実施例に過ぎず、本考案を限定するものではない。当該技術を熟知する者なら誰でも、本考案の製品と領域を脱しない範囲内で各種の変動や潤色を加えることができ、したがって本考案の保護範囲は、実用新案請求の範囲で指定した内容を基準とする。
【図面の簡単な説明】
【００２２】
【図１】公知考案の立体組合せ外観図である。
【図２】本考案の立体組合せ外観図である。
【図３】本考案の立体分解図である。
【図４】本考案の別種の立体分解図である。
【図５】本考案を底面から見た組合せ平面図である。
【図６】本考案可動結合ユニットを槽台位置に設置する組合せ断面図である。
【図７】本考案可動結合ユニットを槽台位置に設置する別種の組合せ断面図である。
【図８】本考案の使用モデル図である。
【図９】本考案の別種の使用モデル図である。
【図１０】本考案のさらに別種の使用モデル図である。
【符号の説明】
【００２３】
４      ランプ
５      第一拡大鏡
６      可動結合ユニット
２１    ランプ本体
２１１  第一スイッチ
２１２  第二スイッチ
２２    蛇腹管
２３    ランプヘッドサポートフレーム
２３１  固定孔
２４    ランプヘッド
２４１  主灯区
２４２  副灯区
２５    灯源
３０    第一レンズフレーム
３１    第一レンズ
３２    可動接続部
３３    レンズ枠
３３１  フック槽
３４    槽台
３４１  導辺
３５    収容設置槽孔
３６    レンズ蓋
４０    スライド台
４１    ボルト
４２    ナット
４３    階段部
４４    軸柱
４４１  ガード辺
４５    柱孔
４６    六角孔
４７    定位孔縁
５０    第二拡大鏡
５１    第二レンズフレーム
５１１  軸カバー
５１２  レンズ枠
５１３  可動接続孔
５１４  ガード部
５２    第二レンズ
６０    第三拡大鏡
６１    第三レンズフレーム
６１１  ピボット
６１２  レンズ枠
６２    第三レンズ
９１    磁性部品
９２    螺合部品
９３    弾性体
９４    金属ボール
９５    ネジ
９６    キャップ
【図１】
0003147909.tif 000003
【図２】
0003147909.tif 000004
【図３】
0003147909.tif 000005
【図４】
0003147909.tif 000006
【図５】
0003147909.tif 000007
【図６】
0003147909.tif 000008
【図７】
0003147909.tif 000009
【図８】
0003147909.tif 000010
【図９】
0003147909.tif 000011
【図１０】
0003147909.tif 000012
【手続補正書】
【提出日】平成20年11月18日(2008.11.18)
【手続補正１】
【補正対象書類名】実用新案登録請求の範囲
【補正対象項目名】請求項１
【補正方法】変更
【補正の内容】
【請求項１】
多機能拡大鏡ランプであって、
少なくともランプを含み、
該ランプ一端にはランプヘッドを可動状態で組み合わせ、該ランプヘッド内には灯源を設置し、隣接する適当な位置には第一拡大鏡を可動状態で組み合わせ、
該第一拡大鏡はこれにより可動状態で組み合わされ、及び第１レンズにより組成され、
片側の適当な位置には槽台を形成し、これにより可動結合ユニット一端は可動式の結合を行い、該可動式結合ユニット反対端は第二拡大鏡を可動結合し、
該第二拡大鏡は対応する該ランプ或いは第一拡大鏡の機能の使用を補助し、或いはその具備する機能を単独で使用することができ、これにより拡大鏡ランプの倍率拡大の機能を増進し、さらには該第二拡大鏡は迅速簡便に拡大鏡ランプと結合、分解の作業を行うことができることを特徴とする、
多機能拡大鏡ランプ。